(57)【要約】【課題】蓋体を片手で開放することが可能なコンセントを提供する。【解決手段】コンセント１０は、本体１１、コンセントユニット１２、蓋体１３を具備する。本体１１は、被設置部Ｘに設置される。コンセントユニット１２は、プラグＰの栓刃Ｐ１が挿入される挿入口１２ａと、挿入されたプラグの栓刃に接続される刃受け金具１２ｂを有し、挿入口が一面側に臨んで本体内に配設される。蓋体１３は、コンセントユニットの挿入口を覆う閉位置と開放する開位置との間で本体に対して回動可能となるように設けられ、プラグの少なくとも一部を係止可能であって係止した状態のプラグを操作することにより開位置に開放するための係止部１３ｈが設けられる。【選択図】        図１
2013045686.tif 000002
【特許請求の範囲】
【請求項１】
被設置部に設置される本体と；
プラグの栓刃が挿入される挿入口と、挿入されたプラグの栓刃に接続される刃受け金具を有し、挿入口が一面側に臨んで本体内に配設されるコンセントユニットと；
コンセントユニットの挿入口を覆う閉位置と開放する開位置との間で本体に対して回動可能となるように設けられ、プラグの少なくとも一部を係止可能であって係止した状態のプラグを操作することにより開位置に開放するための係止部が設けられた蓋体と；
を具備していることを特徴とするコンセント。
【請求項２】
前記係止部は、プラグの栓刃が係止される凹部で構成したことを特徴とする請求項１に記載のコンセント。
【請求項３】
前記凹部は、蓋体の上辺部から所定の間隔を有して取っ手を形成することにより構成される土手状の閉塞部に形成したことを特徴とする請求項２に記載のコンセント。
【請求項４】
前記閉塞部に形成した凹部は、取っ手に形成した工具挿入凹部に連続して形成したことを特徴とする請求項３に記載のコンセント。
【発明の詳細な説明】
【技術分野】
【０００１】
本発明の実施形態は、屋外等に設置されるコンセントに関する。
【背景技術】
【０００２】
近年では、電気自動車用の充電スタンドが設置されるようになってきている。また、一般家庭においても電動式の自転車が普及し、商用電源から電動式の自転車に充電できるようになっている。これら充電スタンドや一般家庭での充電にはプラグが接続可能なコンセントが屋外に設けられることから、プラグの栓刃を挿入する挿入口から水や塵埃等が浸入しないように、挿入口に蓋体（扉体）を設けたコンセントが使用されている。
【先行技術文献】
【特許文献】
【０００３】
【特許文献１】特開２０１０−２５７９１８号公報
【発明の概要】
【発明が解決しようとする課題】
【０００４】
この種コンセントの蓋体は、プラグを差し込まない不使用時には挿入口を覆って閉状態となし、使用時には挿入口から離間させて開状態になるように構成されている。しかし、蓋体を設けることで、プラグをコンセントに接続する際には蓋体を開ける操作が必要となり、通常は片手で蓋体を開放し、他方の手でプラグをコンセントに差し込み接続している。しかし、例えば、雨の日には、片手で傘をさし、他方の手でプラグを掴んでコンセントに接続することになるが、プラグを掴んだままでは蓋体を開放することができない。このため、この種の蓋体付のコンセントにおいては、蓋体を片手で簡単に開放することが可能なコンセントを如何に実現するかが重要な課題になっている。
【０００５】
本発明は、上記の課題に鑑みなされたもので、蓋体を片手で開放することが可能なコンセントを提供しようとするものである。
【課題を解決するための手段】
【０００６】
本発明の実施形態におけるコンセントは、本体、コンセントユニット、蓋体を具備する。本体は、被設置部に設置される。コンセントユニットは、プラグの栓刃が挿入される挿入口と、挿入されたプラグの栓刃に接続される刃受け金具を有し、挿入口が一面側に臨んで本体内に配設される。蓋体は、コンセントユニットの挿入口を覆う閉位置と開放する開位置との間で本体に対して回動可能となるように設けられ、プラグの少なくとも一部を係止可能であって係止した状態のプラグを操作することにより開位置に開放するための係止部が設けられる。
【発明の効果】
【０００７】
本発明によれば、プラグを係止することにより蓋体を片手で開放することが可能なコンセントを提供することができる。
【図面の簡単な説明】
【０００８】
【図１】本発明の実施形態であるコンセントを建物の外壁面に設置した状態を示す縦断面図。
【図２】同じくコンセントを、蓋体を閉じた状態で示す斜視図。
【図３】同じくコンセントを、蓋体を開いた状態で示す斜視図。
【図４】同じくコンセントの蓋体をプラグの栓刃で開放する状態を示す図で、（ａ）は栓刃を係止部に係止した状態を示す断面図、（ｂ）はプラグの栓刃で蓋体を開放した状態を示す断面図、（ｃ）はプラグを差し込む直近の状態を示す断面図。
【図５】同じくコンセントを、プラグを差し込んだ状態で示す縦断面図。
【図６】同じくコンセントの係止手段を示し、（ａ）は一部を切り欠いて示す斜視図、（ｂ）は係止手段の一部を背面から見たカバー部材の斜視図。
【図７】同じくコンセントを本体とカバー部材に分離して示す斜視図。
【図８】同じくコンセントの変形例を示す図で、図４（ａ）の状態に相当する断面図。
【発明を実施するための形態】
【０００９】
以下、本発明の実施形態について図に従い説明する。
【００１０】
本実施形態は、主として電気自動車を充電するために屋外に設置される２００Ｖ仕様の屋外設置用のコンセント１０を構成するもので、図１に示すように、建物外壁面等の被設置部Ｘに設置される本体１１、プラグＰの栓刃Ｐ１が挿入される挿入口１２ａと挿入されたプラグＰの栓刃Ｐ１に接続され、挿入口に面して設けられる刃受け金具１２ｂを有するコンセントユニット１２、コンセントユニットの挿入口１２ａを覆う閉位置と開放する開位置との間で本体１１に対して回動可能となるように設けられる蓋体１３、本体１１を上下左右方向から略覆うように設けられるカバー部材１４等で構成する。
【００１１】
本体１１は、図１および図７に示すように、電気絶縁性を有する合成樹脂で構成された箱状をなし、上面板１１ａ、下面板１１ｂおよび両側面板１１ｃ、１１ｃ、前面板１１ｄで構成され、背面が開放された断面が矩形状をなす箱状に形成される。そして、上部の外周部および下部の外周部に、本体１１を被設置部Ｘに取り付けるための取付部１１ｅが形成されている。
【００１２】
取付部１１ｅは、上面板１１ａ、下面板１１ｂの背面側を鍔状に一体に外方に向けて突出させて形成され、貫通する取付孔１１ｆが形成されている。取付孔１１ｆは、後述するように、本体１１を設置するサポート２１に対しネジＳ１によって取り付けるための孔で、上面側および下面側にそれぞれ１個ずつ、上下で計２個が形成されている。
【００１３】
また、本体１１の前面板１１ｄは、板面が斜め下方に向くように傾斜して形成され、後述するコンセントユニット１２の突堤部１２ｄが密封して挿通される円形の開口１１ｄ１が形成されている。また、本体１１の上面板１１ａは、後述する係止手段１７の係止受部材１７ｂが一体に形成され、係止手段の入口に連続する部分を傾斜することによりガイド面１１ａ１を一体に形成している。
【００１４】
なお、本体１１は、背面全体が開放された箱状をなして構成したが、背面は電線を通すための挿通孔程度が形成され閉塞されたものでもよい。また、上面板１１ａ、下面板１１ｂおよび両側面板１１ｃ、１１ｃは、閉塞された板面に構成したが、板面の一部が開口されたものであってもよい。
【００１５】
コンセントユニット１２は、図５に示すように、電気絶縁性を有する合成樹脂で箱状をなすように構成され、前面にプラグＰの栓刃Ｐ１が挿入される挿入口１２ａが一体に形成され、内部に刃受け金具１２ｂが、その栓刃挿入部１２ｂ１が挿入口１２ａに面するようにして内蔵され、挿入口１２ａから挿入されたプラグＰの栓刃Ｐ１が、刃受け金具１２ｂの栓刃挿入部１２ｂ１から挿入されて電気的に接続される。
【００１６】
コンセントユニット１２の挿入口１２ａは、特に、図３に示すように、コンセントユニット１２の前面、すなわち、挿入面１２ａ１から一段下がった凹嵌部１２ｃ内に設けられ、挿入口１２ａに挿入されたプラグＰの栓刃Ｐ１が使用者の指等に容易に接触しないように構成している。そして、凹嵌部１２ｃを構成するための一段上がった挿入面１２ａ１がアーチ状をなす突堤部１２ｄを構成し、この突堤部１２ｄの頂面に対して、後述する蓋体１３の突条部１３ｇが当接するように構成される。
【００１７】
なお、刃受け金具１２ｂは、コンセントユニット１２に対し、電源接続用の一対の刃受け金具１２ｂと、アース接続用の１個の刃受け金具１２ｂ´との計３個の刃受け金具が内蔵され、各刃受け金具には、コンセントの設置時にコンセントユニット１２の後面から電源線およびアース線が接続される（図示省略）。
【００１８】
そして、コンセントユニット１２の突堤部１２ｄが本体１１の前面板１１ｄに形成された開口１１ｄ１に挿通され、挿入口１２ａが開口１１ｄ１に臨むようにして本体１１内に配設される。この際、コンセントユニット１２は、その凹嵌部１２ｃを構成する突堤部１２ｄが、本体１１の開口部１１ｄ１から寸法ａだけ若干突出させて配設される（図３）。本実施形態において、この突出寸法ａは、約３ｍｍに構成した。
【００１９】
また、コンセントユニット１２は、傾斜した前面板１１ｄに取り付けられることによって、挿入口１２ａが斜め下方に向くように位置され、各刃受け金具１２ｂの栓刃挿入部１２ｂ１が斜め下方に向くようにして本体１１内に配設される。なお、本実施形態において、各刃受け金具１２ｂは、約３０°の角度で斜め下方に向くようにコンセントユニット１２に内蔵され本体１１内に配設されている。
【００２０】
蓋体１３は、本体１１に配設されたコンセントユニット１２の挿入口１２ａ、すなわち、刃受け金具１２ｂの栓刃挿入部１２ｂ１を閉塞するための扉をなすもので、電気絶縁性を有する合成樹脂で矩形状をなす板状に一体に形成される。矩形状をなす蓋体１３の大きさは、図２、図３に示すように、各挿入口１２ａを覆うことができ、かつ、後述するカバー部材１４の開口部１４ｄよりも小さいが、開口部１４ｄを略覆い開口部の蓋としての機能を有する寸法に形成し、その下辺部１３ａが本体１１の前面板１１ｄの下辺部１１ｇに対して回動可能となるように軸支される。
【００２１】
すなわち、本体１１の下辺部１１ｇに樹脂からなる別体の軸受１５がネジＳ２によって固定され（図１）、この軸受１５の両側に蓋体１３の下辺部１３ａに設けられた一対の軸部１３ａ１、１３ａ１を介在させ、両者にわたって軸１５ａを挿通して、蓋体１３を本体１１の前面板１１ｄに軸支する。なお、軸受１５と蓋体１３の下辺部１３ａには、コイルスプリング（図示省略）を介在させて、蓋体１３が常時コンセントユニット１２の挿入口１２ａおよびカバー部材１４の開口部１４ｄを塞ぐ方向に付勢させる。
【００２２】
そして、蓋体１３の上辺部１３ｄには、外方に向けて突出させた操作用の取っ手１３ｅが一体に形成される。この取っ手１３ｅは、上辺部１３ｄから所定の間隔ｂ寸法だけ離間させて形成する（図２）。これにより、取っ手１３ｅと上辺部１３ｄとの間に土手状の閉塞部１３ｆが形成される。これにより、蓋体１３の下辺部１３ａ、すなわち、回動軸部側と反対側に操作用の取っ手１３ｅを設ける場合に、蓋体１３の端部、すなわち、上辺部１３ｄから間隔ｂ寸法だけ離間した位置に操作用の取っ手１３ｅを設けることができ、離間した壁、すなわち、閉塞部１３ｆが水や塵埃等の浸入に対する障壁面となり、コンセントの本体１１内への水の浸入を防止、若しくは抑制することが可能になる。なお、本実施形態において、間隔寸法ｂは、約３ｍｍに構成した。
【００２３】
図２中、１３ｅ１は、取っ手１３ｅにおける長手方向の略中間部分の上面から、閉塞部１３ｆの壁面にわたって形成した工具挿入凹部で、後述するカバー部材１４と本体１１との係合手段１８を解除するための、ドライバー等の工具を挿入するための凹みである。
【００２４】
上記のように、コンセントユニット１２の挿入口１２ａを覆う閉位置と開放する開位置との間で本体１１に対して回動可能となるように設けられた蓋体１３は、図１、図２に示すように、プラグＰの少なくとも一部を係止可能であって係止した状態のプラグを操作することにより片手で開位置に開放するための係止部１３ｈが設けられる。
【００２５】
係止部１３ｈは、本実施形態ではプラグＰの栓刃Ｐ１が係止される凹部で構成し、凹部は上記のように蓋体１３の上辺部１３ｄから所定の間隔ｂを有して取っ手１３ｅを形成することにより構成される土手状の閉塞部１３ｆに対し、その長手方向の略中間部を切り欠いて一体に形成し、さらに、取っ手１３ｅに形成した工具挿入凹部１３ｅ１に連続して一体に形成した。
【００２６】
これにより、図４（ａ）に示すように、片手で掴んだプラグＰの栓刃Ｐ１、本実施形態では、一番長く突出したアース用の栓刃Ｐ１の先端を凹部１３ｈ内に挿入し係止して引掛ながら、図４（ｂ）に示すように、蓋体１３を軸１５ａを中心にして矢印Ｃ方向に掴んだ片手でそのまま簡単に開放することが可能になる。
【００２７】
特に、本実施形態において、係止部となる凹部１３ｈは、取っ手１３ｅに形成した工具挿入凹部１３ｅ１に連続して一体に形成したことにより、片手で掴んだプラグＰの栓刃Ｐ１先端を凹部１３ｈに挿入する際に、工具挿入凹部１３ｅ１が凹部１３ｈへのガイドの作用をなし、掴んだ片手で簡単かつ確実に凹部１３ｈ内に挿入して係止し、蓋体１３を簡単にかつ確実に開放することが可能になる。
【００２８】
特に、本実施形態では、ガイドの作用をなす工具挿入凹部１３ｅ１は、凹部１３ｈより大きく形成したことにより、より一層ガイドの作用を効果的に行うことが可能になる。換言すれば、カバー部材１４を本体１１から外すための工具挿入凹部１３ｅ１を、片手で蓋体１３を開放するための係止部におけるガイドの作用を兼用させることによって、コンセント自体の構成を簡素化することが可能になる。なお、蓋体１３は、取っ手１３ｅを掴んで開放することもできる。
【００２９】
また、蓋体１３の内面には、図３に示すように、突条部１３ｇが一体に形成される。突条部１３ｇは、蓋体１３の閉位置において、上述したコンセントユニット１２の挿入口１２ａに対し、水や塵埃等の浸入を防止、若しくは抑制する作用をなすもので、挿入口１２ａが形成された凹嵌部１２ｃの突堤部１２ｄの頂面に対し、突条部１３ｇの頂面が当接するように、アーチ状突堤部１２ｄの外周部分に、略合致するアーチ状をなす形状に形成される。
【００３０】
これにより、万一、蓋体１３とカバー部材１４との隙間、特に上方および側方の隙間から水が浸入したとしても、突堤部１２ｄと突条部１３ｇの頂面同士が当接することによって、一種の土手が形成され、隙間から伝わってきた水の勢いを緩和して挿入口１２ａ内への水の浸入を防止、若しくは抑制することが可能になる。因みに、突条部１３ｇ若しくは突堤部１２ｄが存在しない場合には、隙間から伝わってきた水は、勢いよく平坦な蓋体内面を伝わって凹嵌部１２ｃから挿入口１２ａ内に侵入する恐れがある。
【００３１】
また、アーチ状の突条部１３ｇは、蓋体１３を合成樹脂によって成形する際には補強用のリブの作用をなし、蓋体を薄く構成することが可能になる。このため、肉厚の蓋体を構成する必要がなくなり、肉引け防止のための設計が不要となり、設計の自由度が向上するとともに、材料費の削減が可能になりコスト的にも有利になる。
【００３２】
また、蓋体１３は、補強用のリブをなす突条部１３ｇを有することから肉引けの生じ難い、薄い樹脂成形が可能になり、蓋体が変形し難くなることから、突条部１３ｇと突堤部１２ｄとの当接状態を隙間なく保持することができ、隙間から伝わってきた水の勢いを緩和して確実に凹嵌部１２ｃ内への水の侵入を防止、若しくは抑制することが可能になる。
【００３３】
なお、本実施形態において、突条部１３ｇをアーチ状に形成して、凹嵌部１２ｃの上方および両側方部分さらには下方部分に対して、突条部１３ｇが位置するように構成したが、多くの場合は、上方の隙間から浸入した水が上部の突堤部１２ｄを伝わってくるため、円形をなす凹嵌部１２ｃの上部半円形部分に対応して突条部１３ｇを形成すれば十分で、突条部１３ｇは、少なくとも挿入口１２ａの上部を覆うように設けられていればよい。
【００３４】
さらに、蓋体１３内面の略中央部分には、ロック部１６が一体に形成される。ロック部１６は、刃受け金具１２ｂに接続されたプラグＰを本体１１側に係合し、抜け止めの作用をなす鉤状の係合爪で構成される。
【００３５】
そして、蓋体１３は、上記のように構成されることによって、プラグＰを接続しない不使用時には、図２に示すように、コンセントユニット１２の挿入口１２ａおよびカバー部材１４の開口部１４ｄを塞ぎ、防水および防塵等の作用を果たす。同時に使用時には、カバー部材１４の開口部１４ｄから、取っ手１３ｅを指で摘んで、図２中、矢印Ｃで示す方向に開くことによって、図３のように、挿入口１２ａが外面に露出し、プラグＰを挿入口１２ａから刃受け金具１２ｂに対して差し込むことが可能になる。
【００３６】
そして、本実施形態では、図４（ａ）（ｂ）（ｃ）に示すように、プラグＰのアース用栓刃Ｐ１の先端を凹部１３ｈ内に挿入して係止して引掛ながら、蓋体１３を片手で簡単に開放し、図５に示すように、そのまま片手でプラグＰの各栓刃Ｐ１を挿入口１２ａから刃受け金具１２ｂに対して差し込むことが可能になる。
【００３７】
また、プラグＰを刃受け金具１２ｂに差し込むと、図５に示すように、プラグＰの図５中、矢印Ｄ方向の移動により、プラグＰの外面（図５中、下面）に形成されたロック用の段部Ｐ２に対して、ロック部１６の係合爪が係合し、プラグの抜け止めがなされる。この抜け止めは、蓋体１３に設けられたスプリングの弾力により、常時閉方向に付勢されている蓋体に対してプラグＰを、矢印Ｄ方向に向けてスライドさせることによって、ロック部１６の係合爪がプラグＰの段部Ｐ２に対し自動的に係合し、係合した状態から蓋体１３を開く操作（矢印Ｃ方向の操作）によって自動的に解除される。
【００３８】
カバー部材１４は、図７に示すように、電気絶縁性を有する合成樹脂で構成された箱状をなし、同様に箱状をなす本体１１を、上下左右方向から略覆うように、上面板１４ａ、下面板１４ｂおよび両側面板１４ｃ、１４ｃで構成され、前面および背面が開放された断面が矩形の箱状をなすように形成されている。カバー部材１４の内側形状および寸法は、本体１１の外側形状および寸法より若干大きく形成し、カバー部材１４内に本体１１が挿入され多少の隙間を有して嵌合されるように構成する。
【００３９】
カバー部材１４の前面には、その略中間にプラグＰの栓刃Ｐ１が挿通される開口部１４ｄを有し、この開口部１４ｄの上下に対向し、開口部１４ｄに向かって鍔状に一体に形成された一対の縁部１４ｅ、１４ｅが形成される。これにより、カバー部材１４の全体形状は、開口部１４ｄと上下の縁部１４ｅさらに左右の側面板１４ｃ、１４ｃによって、深さのある略額縁状をなすように構成される。
【００４０】
そして、略額縁状をなすカバー部材１４は、本体１１に対して、本体１１の全体を略覆うようにして被せられる。すなわち、カバー部材１４の開放された背面側を、本体１１の前面側に対向させて挿入し嵌合する。この挿入方向は、本体１１が被設置部Ｘに設置された際の、被設置部Ｘと略直交する方向（図１中、矢印Ａ方向）であって、カバー部材１４を本体１１に対し被せるようにして挿入する。
【００４１】
これにより、本体１１の上面板１１ａ、下面板１１ｂおよび両側面板１１ｃ、１１ｃが、カバー部材１４の上面板１４ａ、下面板１４ｂおよび両側面板１４ｃ、１４ｃによって覆われ、同時に、開口部１４ｄが、本体の前面板１１ｄに設けられたコンセントユニット１２の挿入口１２ａ、すなわち、突堤部１２ｄを有する凹嵌部１２ｃが外面に露出するように対向させて装着される。さらに、カバー部材１４は、本体１１の取付部１１ｅ、１１ｅを含む外周部を覆うように略額縁状に形成され、取付部１１ｅ、特に上下の各取付孔１１ｆにおける防水・防塵が図れる。
【００４２】
そして、上記のように装着された本体１１とカバー部材１４は、係止手段１７によって着脱可能に係止され、また着脱が可能な係合手段１８によって、さらに係合されて装着される。
【００４３】
先ず、係止手段１７について説明する。係止手段１７は、図６に示すように、本体１１の上面板１１ａとカバー部材１４における上面板１４ａの内面との間に形成された係止部材１７ａと、この係止部材が挿入される係止受部材１７ｂを有して構成される。
【００４４】
係止部材１７ａは、本実施形態では、断面が略逆Ｔ字形をなし、所定の幅を有する幅広の係止板１７ａ１からなり、Ｔ字の根元部分がカバー部材１４の上面板１４ａの内面に一体に形成される（図６（ｂ））。
【００４５】
係止受部材１７ｂは、本実施形態では、ガイド溝１７ｂ１からなり、係止板１７ａ１におけるＴ字の両端部が挿入される一対の対向する凹溝を有して、本体１１の上面板１１ａの外面に一体に形成される（図７）。また、ガイド溝１７ｂ１の入口は、上面板１１ａに形成されたガイド面１１ａ１に連続するように形成し、係止板１７ａ１の先端部がガイド面１１ａ１によってガイドされガイド溝１７ｂ１内に挿入され嵌合される。
【００４６】
なお、幅広の係止板１７ａ１の幅寸法ｃは、対向するガイド溝１７ｂ１間の寸法ｄと略等しいか若干小さく形成する（ｃ≦ｄ）。また係止板１７ａ１の厚さ寸法ｔ１は、凹溝の溝幅寸法ｔ２と略等しいか若干小さく形成し（ｔ１≦ｔ２）、ガイド溝１７ｂ１には、係止板１７ａ１が挿入され嵌合される空間部ｓが形成される。また、係止板１７ａ１およびガイド溝１７ｂ１の長手方向は、被設置部Ｘに対して直交する方向、すなわち、本体１１が被設置部Ｘに設置された際の、被設置部Ｘと略直交する方向（図１矢印Ａ方向）に沿って形成される。
【００４７】
これにより、図６に示すように、係止板１７ａ１の両端部をガイド溝１７ｂ１の凹溝に対して、図中矢印Ａ方向にスライドさせることによって、係止板１７ａ１とガイド溝１７ｂ１が嵌合し両者が係止される。その結果、ガイド溝１７ｂ１を形成した本体１１と、係止板１７ａ１を形成したカバー部材１４とが係止される。しかも、Ａと逆方向にスライドさせることによって両者の係止状態を簡単に解除させることができる。
【００４８】
なお、スライドさせる矢印Ａ方向は、本体１１が被設置部Ｘに設置された際の、被設置部Ｘと略直交する方向（図１矢印Ａ方向）と同様の方向であり、係止手段１７における係止板１７ａ１とガイド溝１７ｂ１は、カバー部材１４を本体１１に対し被せるようにして挿入する操作によって、自動的に嵌合して係止され、しかも、カバー部材１４を逆方向にスライドさせることにより係止手段の係止状態が自動的に解除され、カバー部材１４を本体１１から取り外すことができる。
【００４９】
この際、カバー部材１４は、被設置部Ｘと略直交する方向（図１矢印Ａ方向）にスライドさせて本体１１に対し挿入するので、設置部分の上側の被設置部Ｘが突出していたり、他の造営物が設けられていた場合などでも、これら突出や造営物によって邪魔されることなく、カバー部材１４を本体１１に確実に装着することができ、設置場所の制限を受け難くすることが可能になる。
【００５０】
さらに、カバー部材１４と本体１１の装着状態は、幅広の係止板１７ａ１がガイド溝１７ｂ１の凹溝に対して嵌合し係止されるので、両者が互いに係止される部分の面積が広くなり、カバー部材１４が本体１１に対して左右および上下方向にガタツクことなく確実に係止して取り付けることが可能になる。
【００５１】
次に、係合手段１８について説明する。係合手段１８は、図１に示すように、本体１１の上面板１１ａとカバー部材１４における上面板１４ａの内面との間に形成され、樹脂の弾性によって着脱が可能な手段によって構成される。すなわち、係合手段１８は、本体１１の上面板１１ａの前面側に一体に形成された係合受爪１８ａと、樹脂製カバー部材１４の上側の縁部１４ｅに一体に形成され、先端に鉤状の係合爪１８ｂを有する係合腕部１８ｃで構成される。本実施形態において、係合爪１８ｂは、縁部１４ｅの幅方向の全体に亘って形成されている。
【００５２】
これにより、Ｔ字の係止板１７ａ１をガイド溝１７ｂ１にスライドさせる操作と同時に、カバー部材１４における係合腕部１８ｃの係合爪１８ｂが矢印Ａ方向に移動し、本体１１の係合受爪１８ａと係合される。これにより、係合受爪１８ａを形成した本体１１と、係合腕部１８ｃを形成したカバー部材１４とが係合される。しかも、蓋体１３の取っ手１３ｅと閉塞部１３ｆにわたって形成された工具挿入凹部１３ｅ１からドライバー等の工具を挿入し、係合腕部１８ｃを上方（図１中矢印Ｂ方向）に湾曲させることによって、両者の係合状態を簡単に解除させることができる。
【００５３】
上記構成から明らかなように、本体１１とカバー部材１４は、係止手段１７によりガタツクことなく確実に係止されるとともに、係合手段１８によって簡単に外れることなく、さらに確実に係合される。しかも、簡単に着脱が可能になるように装着される。
【００５４】
上記により、蓋体１３およびカバー部材１４を有し、片手で蓋体を簡単に開放することが可能な防水型のコンセント１０が構成される。なお、上記に構成されたコンセント１０は、パッキングを有する裏面枠２０およびサポート２１によって、被設置部Ｘに設置される。
【００５５】
次に、上記に構成されたコンセント１０の設置手順および作動につき説明する。なお、上記に構成されたコンセント１０は、図７に示すように、本体１１とカバー部材１４を分離した状態にしておく。そして、図１に示すように、被設置部、例えば、一般家庭の建物における外壁面Ｘに対し、本体１１の背面側が外壁面Ｘと略平行に、すなわち、略鉛直方向になるように設置する。設置は、先ず、サポート２１を外壁面Ｘに予め形成された設置孔Ｘ１の外周に木ネジ等によって取り付け、さらにサポート２１に対してパッキングを有する裏面枠２０をネジによって取り付ける。
【００５６】
次に、本体１１の各刃受け金具１２ｂに対して、２００Ｖの電源線およびアース線を接続する電気配線を行う。次に、裏面枠２０に対し、本体１１外周部の取付部１１ｅ、１１ｅを合せ、ネジＳ１、Ｓ１を取付孔１１ｆ、１１ｆに挿通し、サポート２１のネジ孔２０ａに対してねじ込み固定する。
【００５７】
次に、カバー部材１４を用意し、カバー部材１４の開放された背面を、本体１１の前面板１１ｄを被せるように位置合せをし、カバー部材１４を、被設置部Ｘと略直交する方向（図１矢印Ａ方向）に移動させ、本体１１をカバー部材１４内に挿入する。
【００５８】
この際、カバー部材１４は、被設置部Ｘと略直交するＡ方向に移動させることにより本体１１に装着することができるので、設置部分の上側の外壁面Ｘ１が突出していたり、他の造営物が設けられていた場合などでも、これら突出や造営物によって邪魔されることなく、カバー部材１４を本体１１に確実に装着することができる。
【００５９】
この移動操作に伴って、先ず、係止手段１７の係止板１７ａ１が、傾斜するガイド面１１ａ１にガイドされ、ガイド溝１７ｂ１に自動的に嵌合して係止される。同時に、係合手段１８の係合爪１８ｂが係合受爪１８ａに乗り上げ、係合腕部１８ｃが樹脂の弾性に抗して上方に撓み、さらなる移動によって係合爪１８ｂが係合受爪１８ａを乗り越える。これによって、係合腕部１８ｃが樹脂の弾性力によって下方に復帰し、係合爪１８ｂと係合受爪１８ａが自動的に係合し、カバー部材１４が本体１１に対して容易に外れることなく確実に装着される。なお、係合手段１８の係合は、係止手段１７の係止状態が完了したと略同時になされる。
【００６０】
この際、係止手段１７および係合手段１８は、ともにカバー部材１４の本体１１に対する装着のための移動操作によって、自動的に係止および係合がなされるので、カバー部材１４と本体１１との間における係止や係合のための格別な操作が不要となり施工が簡素化される。
【００６１】
上記のように外壁面Ｘに設置されたコンセント１０は、次のようにして使用される。すなわち、電気自動車を充電する場合には、図２の状態から、図３に示すように、片方の手で蓋体１３の取っ手１３ｅを摘んで開放する。これにより、カバー部材１４の開口部１４ｄが開放されて、コンセントユニット１２の挿入口１２ａが外方に露出される。
【００６２】
この状態で図５に示すように、他方の手で掴んだプラグＰを本体１１の斜め下方から挿入し、栓刃Ｐ１を挿入口１２ａに差し込み充電を開始する。そして、片方の手で開放した蓋体１３の取っ手１３ｅを離すことによってロック部１６の係合爪が、プラグＰのロック用の段部Ｐ２に対して自動的に係合され、使用中に不用意にプラグＰがコンセント１０から抜けないように保持される。
【００６３】
上記手順では、両手を使用してプラグＰをコンセント１０に接続したが、本実施形態によれば、雨の日などにおいて、傘をさしながら、片手でプラグを掴みその栓刃Ｐ１で蓋体１３を簡単に開放し、そのままプラグＰをコンセント１０に接続することができる。
【００６４】
すなわち、図４（ａ）に示すように、プラグＰを片手で掴み、アース用栓刃Ｐ１の先端を凹部１３ｈ内に挿入して係止して引掛ながら、図４（ｂ）に示すように蓋体１３を片手で開放する。この際、栓刃Ｐ１の先端を、工具挿入凹部１３ｅ１をガイドとしながら凹部１３ｈ内に挿入して係止する。そして、図４（ｃ）に示すように、プラグＰを蓋体１３の内面に沿って挿入口１２ａ側に向かって移動する。そして、図５に示すように、そのまま片手でプラグＰの各栓刃Ｐ１を挿入口１２ａから刃受け金具１２ｂに対して差し込む。
【００６５】
プラグＰを刃受け金具１２ｂに差し込むと、図５に示すように、プラグＰの図５中、矢印Ｄ方向の移動により、プラグＰの外面（図５中、下面）に形成されたロック用の段部Ｐ２に対して、ロック部１６の係合爪が自動的に係合し、プラグの抜け止めがなされる。
【００６６】
上記の両手または片手による各手順により、プラグＰを差し込んだ状態、すなわち、コンセントの使用中において、プラグＰの上面および両側面側がカバー部材１４によって覆われ、上方からの雨水および横方向からの雨水に対してプラグの栓刃Ｐ１が挿入された挿入口１２ａの近辺、すなわち、電気接続部への雨水の侵入を防ぐことが可能となる。
【００６７】
次に充電が終了した状態で、蓋体１３の取っ手１３ｅを、図５中、矢印Ｃ方向に若干開放して、ロック部１６の係合爪とプラＰの段部Ｐ２の係合を解除し、プラグＰをコンセント１０の挿入口１２ａから引き抜く。この操作によって、図５に示すように、蓋体１３がスプリングの作用によって、自動的に閉位置に向かって回動し、カバー部材１４の開口部１４ｄおよび挿入口１２ａを閉じる（図２）。
【００６８】
この際、図１に示すように、挿入口１２ａが形成された凹嵌部１２ｃの突堤部１２ｄの頂面に対し、蓋体１３の内面に形成された突条部１３ｇの頂面が当接し、例えば、コンセント近辺での洗車等により、万一、蓋体１３とカバー部材１４との隙間、特に上方および側方の隙間から水が浸入したとしても、突堤部１２ｄと突条部１３ｇの頂面同士が当接することによって、一種の土手が形成され、隙間から伝わってきた水の勢いを緩和して挿入口１２ａ内への水の浸入を防止、若しくは抑制することが可能になる。これにより、コンセントの不使用時において、コンセントの挿入口近辺、すなわち、電気接続部が蓋体１３およびカバー１４によって覆われ、上方および横方向からの水や塵埃等の侵入を防止、若しくは抑制することが可能となる。
【００６９】
同時に、蓋体１３がスプリングによって、何ら操作をせず自動的に確実に閉位置に向かって回動させることができ、また、プラグを抜くことによって、蓋体１３がスプリングによって、何ら操作をせずに自動的に確実に閉位置に向かって回動するので、蓋体１３による挿入口１２ａの閉止操作を忘れても確実に閉止することができる。さらに、スプリングの作用によって、例えば、台風などの風雨の強いときにおいても、不用意な蓋体１３の開放、飛散等を防止することが可能になる。同時に、カバー部材１４によって本体１１の取付部１１ｅ、１１ｅが覆われているので、取付部１１ｅ、１１ｅにおける防水・防塵が図れるとともに、外観を良好にして見栄えをよくすることができ、さらに、いたずら防止を図ることが可能になる。
【００７０】
なお、保守・点検・修理等の際に、カバー部材１４を本体１１から取り外す場合には、蓋体１３の取っ手１３ｅと閉塞部１３ｆにわたって形成された工具挿入凹部１３ｅ１からドライバー等の工具を挿入し、縁部１４ｅに設けられた係合手段１８の係合腕部１８ｃを、図１中、矢印Ｂ方向に撓ませることによって、係合爪１８ｂと係合受爪１８ａとの係合を解除し、さらに、上記と逆方向にカバー部材１４をスライド移動させるだけで、簡単に取り外すことができる。この場合も係止手段１７や係合手段１８の格別な解除操作を行うことなく、カバー部材１４の取り外し操作によって自動的に解除させることができ、保守・点検・修理等が容易になる。
【００７１】
以上、本実施形態において、蓋体１３の係止部となる凹部１３ｈは、取っ手１３ｅに形成した工具挿入凹部１３ｅ１に連続して形成し、プラグＰの栓刃Ｐ１先端を凹部１３ｈに挿入して係止し、蓋体１３を片手で簡単に開放するように構成したが、例えば、図８に示すように、蓋体１３の取っ手１３ｅ外縁に、その長手方向にわたって一体に突起１３ｈ´を形成し、プラグＰのロック用の段部Ｐ２を係止させて蓋体１３を片手で簡単に開放するように構成してもよく、係止部の位置や形状、さらには係止部に係止して開放させるためのプラグの部材は、これら例示した構成には限定されない。また、係止部の好ましい形態としては、プラグの凸部または凹部と位置規制し合いながら係合する凹部または凸部である。
【００７２】
また、蓋体１３は、カバー部材１４の開口部１４ｄを塞ぐようにすることが、安全性および外観意匠的にも好ましいが、少なくとも充電部となる挿入口１２ａ近辺を覆っていればよい。また、蓋体１３は、スプリングによって常時閉止方向に付勢するように構成したが、常時閉止方向にすることは条件ではなく、例えば、手動によって蓋体を閉じて閉止状態にロックする構成であってもよい。また、蓋体１３は、本体１１に対して着脱することができるように構成したものであってもよい。
【００７３】
また、係止手段１７は、係止部材１７ａを構成する係止板１７ａ１をカバー部材１４に設け、係止受部材１７ｂを構成するガイド溝１７ｂ１を本体１１に設けたが、逆にしてもよい。すなわち、係止板１７ａ１を本体１１に設け、ガイド溝１７ｂ１をカバー部材１４に設けて構成してもよい。
【００７４】
また、本実施形態のコンセントは、屋外に設置されるカバー付のコンセントに適用されることが好ましいが、屋内に設置されるコンセントでもよく、また、露出形でも埋込形でも、さらに、１口用でも２口用、３口用でもよく、その口数に限定されない。さらに、アース端子のないコンセント等であってもよく、特定のコンセントには限定されない。以上、本発明の好適な実施形態を説明したが、本発明は上述の実施形態に限定されることなく、本発明の要旨を逸脱しない範囲内において、種々の設計変更を行うことができる。
【符号の説明】
【００７５】
１０  コンセント
１１  本体
１２  コンセントユニット
１２ａ  挿入口
１２ｂ  刃受け金具
１３  蓋体
１３ｅ  取っ手
１３ｅ１  工具挿入凹部
１３ｆ  閉塞部
１３ｈ  係止部（凹部）
Ｘ  被設置部
Ｐ  プラグ
Ｐ１  栓刃
【図１】
2013045686.tif 000003
【図２】
2013045686.tif 000004
【図３】
2013045686.tif 000005
【図４】
2013045686.tif 000006
【図５】
2013045686.tif 000007
【図６】
2013045686.tif 000008
【図７】
2013045686.tif 000009
【図８】
2013045686.tif 000010